(57)【要約】【課題】フイルムシートで被服された圃場に植えられた地下茎作物を引き抜き搬送コンベアにより挟持引き抜き搬送する収穫機において、フイルムシートを収穫作業の効率を害することなく剥すことが可能で、容易に圃場に広げて乾燥可能な状態とする。【解決手段】引抜き搬送コンベア６始端部より進行方向後方に位置してフイルムシートを機体進行とともに進行方向に切断していくシートカッター２０が設けられていて、収穫機後方に、切断されたフイルムシートを圃場面から剥ぎ取るように案内可能なフイルムシートの誘導ローラー４０を設け、誘導ローラー４０は水平方向のガイドローラー４０１と、ガイドローラー４０１左右端にそれぞれ設けられガイドローラー外径より径大の鍔状ガイド部４０２とによって構成されている地下茎作物の収穫機を提案する。【選択図】      図５
2010193857.tif 000002
【特許請求の範囲】
【請求項１】
フイルムシートで被服された圃場に植えられた地下茎作物等の収穫装置を設けた自走収穫機において、収穫装置は、前方から後方に亘って後上がりに斜設され圃場に植えられた作物の茎葉部を挟持して抜き取る引抜き搬送コンベア部と、該引抜き搬送コンベア始端部近傍に設けられ土中の地下茎作物等の下方部を通過させ周辺の土を膨軟にするとともに根の一部を切断する根切刃と、引抜き搬送コンベア始端部より進行方向後方に位置してフイルムシートを機体進行とともに進行方向に切断していくシートカッターとが設けられていて、収穫機後方には、機体進行とともに切断された前記フイルムシートを圃場面から剥ぎ取るように案内可能なフイルムシートの誘導ローラーが設けてあり、誘導ローラーは機体進行方向と直交する水平方向のガイドローラーと、ガイドローラー左右端にそれぞれ設けられガイドローラー外径より径大の鍔状ガイド部とによって構成されていることを特徴とした地下茎作物の収穫機。
【発明の詳細な説明】
【技術分野】
【０００１】
本発明は、フイルムシートで被服された圃場に植えられた地下茎作物や根菜類の茎葉部を挟持し引抜いて収穫する引抜き搬送コンベアを設けた収穫機に関するものである。
【背景技術】
【０００２】
この種の引抜き搬送コンベアを備えた地下茎作物や根菜類の収穫機の従来技術として特許第３４６９９９８号公報（従来技術１）の「根菜収穫機の土壌被膜処理装置」が知られている。これには、「引抜き搬送帯（２）の始端がわ下方に土壌皮膜（３）を切開するカッター（４）を取り付け、前記カッター（４）により切開した掘り取り側の土壌皮膜３ａを巻き取る巻取リール（５）を装着してある根菜収穫機」に関する記載がある。
【先行技術文献】
【特許文献】
【０００３】
【特許文献１】特許第３４６９９９８号公報（従来技術１）
【発明の概要】
【発明が解決しようとする課題】
【０００４】
フイルムシートで被服された圃場に複数条に植えられた地下茎作物等の茎葉部を挟持して抜き取る引抜き搬送コンベア部を設けた収穫機において収穫作業を行う場合、一つの畝に複数条に植えられている作物を一条ずつ掘り取り、収穫した条のフイルムシートを車体走行部で必要以上に踏み潰さないように取り除きながら作業しようとすると、収穫条のフイルムシートを未収穫側から切断分離する必要がある。このため、収穫作業中にフイルムシートを進行方向にシートカッターで切断しながら作業が行われる。
【０００５】
従来技術１に開示される根菜収穫機の土壌皮膜処理装置は、マルチカッターによりマルチフイルムを切断したあと、その後方に設けた巻取りリールによって巻き取って回収するものである。
【０００６】
フイルムシートを剥した直後では、フイルムシートに地表の水滴や土が付着した状態となっていて、従来技術１のように剥した直後に巻き取りリールで回収すると、水滴や土も同時に巻き取られた状態となり、回収されたフイルムシートを廃棄処理する場合に不都合であった。このため、フイルムシートを剥した後で圃場に一旦放置して乾燥させてから回収することが行われていた。
【０００７】
また、巻き取りリールの大きさによっては、巻き取りリールからのフイルムシートの取出し作業が必要となり頻繁に収穫作業が中断され作業効率が悪いという問題があった。
【０００８】
このため本発明の目的は、フイルムシートで被服された圃場に植えられた地下茎作物や根菜類を引き抜き搬送コンベアにより挟持引き抜き搬送する収穫機において、フイルムシートを収穫作業の効率を害することなく剥すことが可能で、容易に圃場に広げて乾燥可能とすることを目的とする。
【課題を解決するための手段】
【０００９】
上記課題を解決するために、フイルムシートで被服された圃場に植えられた地下茎作物等の収穫装置を設けた自走収穫機において、収穫装置は、前方から後方に亘って後上がりに斜設され圃場に植えられた作物の茎葉部を挟持して抜き取る引抜き搬送コンベア部と、該引抜き搬送コンベア始端部近傍に設けられ土中の地下茎作物等の下方部を通過させ周辺の土を膨軟にするとともに根の一部を切断する根切刃と、引抜き搬送コンベア始端部より進行方向後方に位置してフイルムシートを機体進行とともに進行方向に切断していくシートカッターとが設けられていて、収穫機後方には、機体進行とともに切断された前記フイルムシートを圃場面から剥ぎ取るように案内可能なフイルムシートの誘導ローラーが設けてあり、誘導ローラーは機体進行方向と直交する水平方向のガイドローラーと、ガイドローラー左右端にそれぞれ設けられガイドローラー外径より径大の鍔状ガイド部とによって構成されていることを特徴とした地下茎作物の収穫機を提案する。
【発明の効果】
【００１０】
この発明によれば、フイルムシートを機体進行とともに進行方向に切断していくシートカッターと、切断された前記フイルムシートを圃場面から剥ぎ取るように案内可能なフイルムシートの誘導ローラーが収穫機後方に設けてあり、地下茎作物の収穫作業と同時にフイルムシートを圃場面から剥ぎ取ることが可能で、剥ぎ取ったフイルムシートは圃場に広げた状態で置くことができるため、乾燥した後に土等を落として回収できる。また、巻き取り装置等の複雑な機構を組み込む必要が無く、簡単な構成で効率よい作業が可能となる。
【図面の簡単な説明】
【００１１】
【図１】本発明を実施した地下茎作物収穫機の側面図
【図２】本発明を実施した地下茎作物収穫機の平面図
【図３】本発明を実施した地下茎作物収穫機の後面図
【図４】地下茎作物の収穫状況を示した収穫機の側面図
【図５】フイルムシートの剥ぎ取り作業を説明した側面図
【図６】フイルムシート埋め込み体部の作業時の正面断面図
【図７】シートカッター部の要部側面図
【発明を実施するための形態】
【００１２】
以下、本発明の実施例を図面に基づいて説明する。図１は本発明を実施した地下茎作物収穫機の側面図、図２は同じく平面図、図３は同じく後面図、図４は地下茎作物の収穫状況を示した収穫機の側面図、図５はフイルムシートの剥ぎ取り作業を説明した側面図、図６はシートカッター部の作業時の正面断面図、図７はシートカッター部の要部側面図を示したものである。
【００１３】
この発明の一つの実施形態である地下茎作物の収穫機は、自走可能な車体1と、操縦席２と、操作装置３と、地下茎作物の収穫装置４と、作業者の乗車部５を設けている。自走可能な車体１は、クローラ装置１ａにより自走し、操縦席２に座る操縦者の操縦によって走行する。操縦者は、操作装置３を操作して収穫装置４を作動させる。
【００１４】
収穫装置４は、後上がりに斜設される引抜き搬送コンベア部６と、引抜き搬送コンベア部６の始端部近傍に設けられる根切刃７と、引抜き搬送コンベア部６に設けられ地下茎作物Ｃを搬送途中に地下茎作物Ｃの茎葉部と地下茎部とを切断分離する茎葉部切断部８と、茎葉部切断部８の下方に設けられる地下茎受け部９と、地下茎部を載置可能に移動させる球根移動体１０ａ及び地下茎部から毛根部と茎を切断する毛根茎切断刃１０ｂを有する毛根切断部１０と、切断部貯留コンテナ１４と、受け部貯留コンテナ１５とを設ける。
【００１５】
作業者の乗車部５は座席からなる。この実施例では走行方向と直交する方向に並んだ２つの座席からなり、毛根切断部１０の球根移動体１０ａに隣接して走行方向を向いて設けられる。
【００１６】
引抜き搬送コンベア部６は、左右一対の弾性エンドレスベルト６ａ、６ａを前部上流側を下部、後部下流側を上部に位置させ斜めに配設され、左右それぞれの弾性エンドレスベルト６ａ、６ａは後方上部に位置する駆動スプロケットと、前方下部に位置する従動スプロケット間に掛け渡され、対向面は互いに左右から対向して接し前部下方から後部上方に移動しエンドレス回転する。引抜き搬送コンベア部６の先端には、茎葉ガイド１３を設けている。
【００１７】
引抜き搬送コンベア部６の始端部近傍に根切刃７を設ける。根切刃７は、引抜き搬送コンベア部６のフレームに回動自在に軸支される根切りフレーム７ａの先端に走行方向とは直交する方向に掛け渡されてなり、土中の地下茎作物Ｃの下方部を通過させるとともに前後に揺動させ地下茎周辺の土を膨軟化するとともに根部の一部を切断する。
【００１８】
引抜き搬送コンベア部６のフレームに設けられる茎葉部切断部８は、引抜き搬送コンベア部６のフレーム下部に設けられる対向する２つの円形の回転カッター８ａ、８ａからなり、互いに逆回転して、搬送されてくる地下茎作物Ｃを搬送途中に地下茎作物Ｃの茎葉部Ｌと地下茎部Ｕとに切断分離する。
【００１９】
引抜き搬送コンベア部６の上端部で下流側端部となる位置にエンドレスチェーンコンベアからなる排葉体１１を設ける。排葉体１１は、エンドレスチェーンコンベアの上流側端部を引抜き搬送コンベア部６の下流側端部と隣接して設け、茎葉部切断部８で切断された茎葉部Ｌのみを引っ掛けて排葉体１１の下流側端部に連設される排葉シュート１２から排出する。
【００２０】
引抜き搬送コンベア部６始端部より進行方向後方且つ茎葉部の挟持部より未収穫作物側に位置し、作物植付け畝Ｇを被覆してあるフイルムシートＦを機体進行とともに進行方向に切断していくシートカッター２０が引抜き搬送コンベア部６を構成する引抜き搬送コンベアフレーム６ｄに設けられている。また、シートカッター２０の未収穫作物側且つシートカッター２０の切断位置より後方に位置し、機体進行とともに切断されたフイルムシートＦの作物未収穫側端部を土中に連続的に埋め込むフイルムシート埋め込み体２１が設けられている。
【００２１】
シートカッター２０は、進行方向と直交する水平方向のカッター回転軸２０ａにより回転自在な外周を鋭利に形成された垂直方向の円板で構成されていて、本実施例においては駆動モータ２０ｂにより機体前進速度より速い速度で前進側に強制回転駆動させて、先端外周を土中に貫入させフイルムシートＦを切断していくように構成されている。強制駆動させずに自転させることでも切断は可能である。
【００２２】
シートカッター２０は、引抜き搬送コンベアフレーム６ｄに対しスイングアーム２２により上下左右揺動可能に設けられている。スイングアーム２２の一端の引抜き搬送コンベアフレーム６ｄへの連結部は、垂直方向の左右回動軸２２ａと水平方向の上下回動軸２２ｂにより上下左右に揺動する揺動部材２２ｃを介して連結されていてスイングアーム２２は上下左右へ揺動可能であり、他端にはシートカッター２０が設けられている。
【００２３】
また、スイングアーム２２の前記揺動部材２２ｃとシートカッター２０との間には、スイングアーム２２を下方に付勢するスプリング２４が設けてあり、スプリング２４は引抜き搬送コンベアフレーム６ｄとスイングアーム２２に架け渡されたサポートロッド２３に挿入されていて、サポートロッド２３はスイングアーム２２に対し一端が軸方向にスライド可能であり、スライドすることでスプリング２４が伸縮しスイングアーム２２を付勢している。これによりシートカッター２０は、圃場の凹凸や車体のローリングに対し追従しフイルムシートＦを切断していく。
【００２４】
スイングアーム２２のシートカッター回転軸であるカッター回転軸２０ａの後方側には、フイルムシート埋め込み体２１を保持するサポートアーム２１ｅがボルトにより固着されている。フイルムシート埋め込み体２１は、埋め込みディスク２１ａとスクレーパー２１ｄにより構成されていて、埋め込みディスク２１ａは、垂直方向の円板で、該円板側面には円板の回転軸２１ｃと同心で且つ円板外径より小径のフランジ部２１ｂが設けられている。サポートアーム２１ｅには埋め込みディスク２１ａの回転軸２１ｃが車体進行方向と直交する水平方向に固着され設けられ、この回転軸２１ｃに埋め込みディスク２１ａが回転自在に保持されている。円板側面のフランジ部２１ｂは、畝Ｇ表面に当接しフイルムシートＦの埋め込み深さを一定に保つとともに埋め込み部を鎮圧する。
【００２５】
埋め込みディスク２１ａは、シートカッター２０で切断された後のフイルムシートＦの端部を土中に押し込み埋めていく作用のため、シートカッター２０のカッター回転軸２０ａより後方にフイルムシート埋め込み体２１の回転軸２１ｃが位置しているとともに、シートカッター２０の未収穫作物側に位置している。
【００２６】
サポートアーム２１ｅにはスクレーパー２１ｄが固着されていて、回転する埋め込みディスク２１ａに付着した土を掻き落す。
【００２７】
フイルムシート埋め込み体２１を保持するサポートアーム２１ｅのスイングアーム２２への固着部は、フイルムシート埋め込み体２１をシートカッター２０に対し上下調整可能とするために、上下方向に回動して固着可能に固着ボルト部を設けている。
【００２８】
引抜き搬送コンベア部６前方端部の茎葉部挟持始端部にはフイルムシート押さえ部材３０が設けられていて、引抜き搬送コンベア部６で挟持され上方に引抜かれた地下茎作物により持ち上げられようとするフイルムシートＦを押さえ込む。
【００２９】
フイルムシート押さえ部材３０は、引抜き搬送コンベア部６の茎葉部挟持始端部の挟持位置両側に前後２個設けられた押さえローラー３０ａで構成されていて、押さえローラー３０ａはそれぞれ引抜き搬送コンベアフレーム６ｄにローラーアーム３０ｂにより上下回動自在に保持されている。ローラーアーム３０ｂの一端は引抜き搬送コンベアフレーム６ｄに進行方向と直交する回動軸で回動自在に保持され、他端に押さえローラー３０ａが回転自在に保持されている。押さえローラー３０ａが上下動することで引抜き搬送コンベアフレーム６ｄが上下した場合や畝Ｇの凹凸に対応追従しフイルムシートＦを押さえ込む。本発明の押さえローラー３０ａは自重により下方に垂れ下がりフイルムシートＦを押さえ付けているが、スプリング等で下方に付勢した構造としても良い。
【００３０】
引抜き搬送コンベア部６の前方には、茎葉挟持高さ位置を安定させるためのゲージ輪３１が設けてあり、畝Ｇ上面を転動しながら高さを安定させるとともに、フイルムシートＦの浮き上がりをフイルムシート押さえ部材３０とともに防止する。フイルムシート押さえ部材は、前工程で切断されたフイルムシートＦ端部が風などで捲れあがると押さえることができないため、引抜き搬送コンベア部にフイルムシートＦが巻き込まれる等の不具合が発生する。このため前工程で埋め込みディスク２１ａにより端部を土中に埋め込むことにより捲れの防止がされるとともにフイルムシートＦが張られた状態となっているためシートカッター２０による切断が確実に行われ切り残しが発生しない。
【００３１】
図６は、作業時の畝Ｇの正面断面図を示したもので、畝Ｇに複数条植えられた地下茎作物Ｃの条間部をシートカッター２０とフイルムシート埋め込み体２１が通過してフイルムシートＦが切断されるとともに土中にフイルムシートＦ切断端部が埋め込まれて行く。シートカッター２０で切断された未収穫側のフイルムシートＦ端部は、シートカッター２０の後方で且つ未収穫側にオフセットして位置するフイルムシート埋め込み体２１の埋め込みディスク２１ａにより土中に引き込まれて埋め込まれる。埋め込みディスク２１ａ側面には埋め込みディスク２１ａの回転軸２１ｃと同心で且つ埋め込みディスク２１ａ外径より小径のフランジ部２１ｂが設けられ、このフランジ部２１ｂにより埋め込み深さが一定となるとともに、埋め込み部を鎮圧しフイルムシートＦの抜けが防止されフイルムシートＦ端部が埋め込まれる。
【００３２】
地下茎受け部９は、この実施形態ではベルトコンベアからなり、走行方向とは直交する方向へ平行して隣接される球根移動体１０ａの速度より遅い速度で移動する。地下茎受け部９の終端側には、受け部貯留コンテナ１５が載置されていて搬送された地下茎部Ｕが収容される。
【００３３】
一方、毛根接断部１０が地下茎受け部９に隣接して平行に設けられていて、作業者が地下茎受け部９に載置された地下茎部Ｕを取出して毛根切断部１０に供給すると、毛根茎切断刃１０ｂにより毛根部Ｒと茎Ｓ側を一定の長さに切断することが可能となっている。
【００３４】
毛根切断部１０の球根移動体１０ａは、ベルトコンベアからなる地下茎受け部９に隣接して平行である横長のフレームの略中央に設けられたチェーンコンベアにチェーンコンベアの進行方向に整列して多数のバケットを取り付けてなる。
【００３５】
毛根切断部１０の毛根茎切断刃１０ｂは、チェーンコンベア１０１の下流側の左右に設けられる回転円形刃からなる毛根カッター１０６と茎カッター１０７からなる。毛根カッター１０６は、バケットの根置板側で根置板側の外側に隣接して設けられ、茎カッター１０７より下流側にずれて設けられる。茎カッター１０７は、バケットの補助板側で補助板側の外側に設けられ、毛根カッター１０６より上流側にずれて設けられる。毛根カッター１０６の位置は、他の実施例ではチェーンコンベア１０１の進行方向の右側に設けてもよいがそのときは根置板も同じ側に設けられる。
【００３６】
切断部貯留コンテナ１４は、毛根切断部１０の球根移動体１０ａの最下流側の下方に載置される上面が開放された箱状体からなり、車体１に折畳自在に設けられ開いて水平状態で支持される載置板１６に着脱自在に載置される。
【００３７】
受け部貯留コンテナ１５は、ベルトコンベアからなる地下茎受け部９の最下流側の下方に載置される上面が開放された箱状体からなり、車体１に折畳自在に設けられ開いて水平状態で支持される載置板１６に着脱自在に載置される。載置板１６は、走行方向の横方向へ開閉自在の折畳部１６ａを設けて載置板１６の幅を拡張可能である。
【００３８】
収穫機後方の作業者の乗車部(座席)下方には、機体進行とともに切断されたフイルムシートＦを圃場面から剥ぎ取るように案内可能なフイルムシートＦの誘導ローラー４０が設けてあり、誘導ローラー４０は機体進行方向と直交する水平方向のガイドローラー４０１と、ガイドローラー４０１左右端にそれぞれ設けられガイドローラー外径より径大の鍔状ガイド部４０２とによって構成されている。図５に示すように、機体前方のシートカッター２０により切断された帯状のフイルムシートＦをガイドローラー４０１に掛け、後方端を圃場に固定すると、収穫作業により機体が進行することによりフイルムシートＦがガイドローラー４０１により地面から持ち上げられ剥ぎ取られていく。鍔状ガイド部４０２は、左右にフイルムシートＦが偏ったときのストッパーの働きをするとともに、フイルムシートＦを収穫が終了した畝側に誘導して置きたいときに側方にフイルムシートを誘導する時のガイドに有効である。
【００３９】
次にこの発明の１つの実施形態である地下茎作物の収穫機の作動について説明する。操縦席２に座った操縦者の操縦によって走行可能な車体１はクローラ装置１ａを駆動させ走行し、操縦者は操作装置３を操作して収穫装置５を作動させる。収穫物を車上で処理する作業者は、座席５に走行方向に向かって座る。この実施例では左右２つの座席５を設けており２人での作業が可能である。
【００４０】
車体１を矢印Ａ方向に走行させ収穫装置４を作動させると、引抜き搬送コンベア部６の前部に設けられ土中に位置する根切刃７が前後に揺動しながら地下茎作物Ｃの地下茎部Ｕ近傍の土を膨軟化させるとともに毛根部Ｒの下方を切る。地下茎作物Ｃの茎葉部Ｌは茎葉ガイド１３によってガイドされ、回転する引抜き搬送コンベア部６の左右一対の弾性エンドレスベルト６ａ、６ａの対向面間に挟まれて引き抜かれ、挟まれたまま斜め上後方へ搬送される。
【００４１】
斜め上後方へ搬送される地下茎作物Ｃは、途中に設けられた互いに逆回転する茎葉部切断部８のカッター８ａ間に入り茎葉部Ｌと地下茎部Ｕに切断される。切断された地下茎部Ｕは、そのまま下に落下して地下茎受け部９であるベルトコンベア上に落ちる。地下茎部Ｕを切り離した茎葉部Ｌは、そのまま斜め上方へ搬送され、排葉体１１であるエンドレス回転チェーン１１に引っ掛かり、その下流側の排葉シュート１２上に落下して圃場に排出される。
【００４２】
地下茎受け部９に落下した地下茎部Ｕは、ベルトコンベアの移動によってゆっくり移動するため同じ場所に次々落ちてくる地下茎部Ｕが溜まることはない。ゆっくり移動する地下茎部Ｕは、乗車部である座席５に座る２人の作業者によって毛根切断部１０のバケット上に供給、載置される。載置されたそれぞれの地下茎部Ｕは、チェーンコンベア１０１の移動により毛根切断刃１０ｂに至ると、毛根部Ｒと茎Ｓ部が一定の長さに揃えられて切断される。
【００４３】
茎葉部Ｌと毛根部Ｒを切断された球根部Ｂは、バケット１０２に載ったまま搬送され下流側にある切断部貯留コンテナ１３に落下して貯留される。
【００４４】
地下茎受け部９に落下した地下茎部のうちベルトコンベアの移動中に作業者に取られなかった地下茎部は、ベルトコンベアの下流側下方に位置する受け部貯留コンテナ１４に落下して貯留される。受け部貯留コンテナ１４に落下した未処理の地下茎部は、掘り上げ作業終了後、再度毛根処理部１０のみを作動させて処理してもよく、また別の時期、別の場所という別工程で毛根等の除去の処理をすることも可能である。
【００４５】
フイルムシートＦが張られた畝の条間部をシートカッター２０で切断するとともに、その未収穫側の先端部を土中に埋め込んで行くため、フイルムシート押さえ部材３０が確実に次工程で作用しフイルムシートＦの浮き上がりを防止し、また、フイルムシートＦが張られた状態となるためシートカッター２０の切り残しの発生が無く効率よく作業を行うことができる。
【００４６】
シートカッター２０で切断された帯状のフイルムシートＦは、機体後方のガイドローラー４０１に掛けられるとともに、後方端を圃場に固定すると、収穫作業により機体が進行することによりフイルムシートＦがガイドローラー４０１により地面から持ち上げられて剥ぎ取られるとともに、圃場面にひろげられた状態で置かれていく。これにより、圃場面の水分等が付着したフイルムシートＦは乾燥され、回収作業も容易になり廃棄処理も容易となる。
【産業上の利用可能性】
【００４７】
本発明は、フイルムシートで被覆された畝に植えられたにんじんや大根等の根菜類や、ニンニク、タマネギ、ユリ根等の地下茎作物、特にニンニクを走行車体により走行しつつ畑より抜き取り収穫する地下茎作物の収穫機に利用することができる。走行可能な車体１は、操縦席２を設けていない歩行型の収穫機であっても本発明を利用することができる。
【符号の説明】
【００４８】
１    走行可能な車体
１ａ    クローラ装置
２    操縦席
３    操作装置
４    収穫装置
５    作業者の乗車部(座席)
６    引抜き搬送コンベア部
６ａ    弾性エンドレスベルト
６ｄ    引抜き搬送コンベアフレーム
７    根切刃
７ａ    根切フレーム
８    茎葉部切断部
８ａ    カッター
９    地下茎受け部
１０    毛根切断部
１０ａ    球根移動体（エンドレスチェーンコンベア）
１０ｂ    毛根茎切断刃
１０６  毛根カッター
１０７  茎カッター
１１    排葉体（エンドレスチェーンコンベア）
１２    排葉シュート
１３    茎葉ガイド
１４    切断部貯留コンテナ
１５    受け部貯留コンテナ
１６    載置板
１６ａ    載置板の折畳部
２０    シートカッター
２０ａ    カッター回転軸
２０ｂ    駆動モータ
２１    フイルムシート埋め込み体
２１ａ    埋め込みディスク
２１ｂ    フランジ部
２１ｃ    回転軸
２１ｄ    スクレーパー
２１ｅ    サポートアーム
２２    スイングアーム
２２ａ    左右回動軸
２２ｂ    上下回動軸
２２ｃ    揺動部材
２３    サポートロッド
２４    スプリング
３０    フイルムシート押さえ部材
３０ａ    押さえローラー
３０ｂ    ローラーアーム
３１    ゲージ輪
４０    誘導ローラー
４０１  ガイドローラー
４０２  鍔状ガイド部
Ｃ    地下茎作物
Ｕ    地下茎部
Ｒ  毛根部
Ｂ  球根部
Ｓ  茎
Ｌ    茎葉部
Ｆ    フイルムシート
Ｇ    畝
【図１】
2010193857.tif 000003
【図２】
2010193857.tif 000004
【図３】
2010193857.tif 000005
【図４】
2010193857.tif 000006
【図５】
2010193857.tif 000007
【図６】
2010193857.tif 000008
【図７】
2010193857.tif 000009